(57)【要約】【課題】  外壁に孔を開けることなく設置できる独立構造体の提供。【解決手段】  簡易建物１と独立フレーム２とカバー材３とを備え、独立フレーム２は、門型に形成され、外壁４から離して設置してあり、外壁４には下地材５を設けて平滑面１５を形成してあり、カバー材３は、外壁側端部を下地材５に取付けてあって、独立フレーム２と外壁４との間の隙間を塞いでおり、簡易建物１は独立フレーム２に取付けてある。【選択図】      図１
2018053568.tif 000002
【特許請求の範囲】
【請求項１】
簡易建物と独立フレームとカバー材とを備え、独立フレームは、門型に形成され、外壁から離して設置してあり、外壁には下地材を設けて平滑面を形成してあり、カバー材は、外壁側端部を下地材に取付けてあって、独立フレームと外壁との間の隙間を塞いでおり、簡易建物は独立フレームに取付けてあることを特徴とする独立構造体。
【発明の詳細な説明】
【技術分野】
【０００１】
本発明は、建物の外部に設置されるサンルーム等の独立構造体に関する。
【背景技術】
【０００２】
非特許文献１には、建物の外壁から離れた位置に門型の独立フレームを設置し、独立フレームにガーデンルーム等の簡易建物を固定し、外壁と独立フレームとの隙間を雨避け材でカバーした独立構造体が記載されている。雨避け材は、外壁に孔を開けてビスで固定している。しかし、外壁に孔を開けると、外壁にひび割れが生じたり、躯体に雨水が浸入したりするおそれがあるため、外壁に孔を開けずに設置できるものが求められている。
【先行技術文献】
【特許文献】
【０００３】
【非特許文献１】三協立山株式会社 三協アルミ社発行のカタログ「ウォールエクステリア  カタログ」（カタログＮｏ．ＳＴＷ０４１８Ａ ＴＳ．１６．０３−１０２５）、２０１６年３月、ｐ．５７２−５８４
【発明の概要】
【発明が解決しようとする課題】
【０００４】
本発明は以上に述べた実情に鑑み、外壁に孔を開けることなく設置できる独立構造体の提供を目的とする。
【課題を解決するための手段】
【０００５】
上記の課題を達成するために請求項１記載の発明による独立構造体は、簡易建物と独立フレームとカバー材とを備え、独立フレームは、門型に形成され、外壁から離して設置してあり、外壁には下地材を設けて平滑面を形成してあり、カバー材は、外壁側端部を下地材に取付けてあって、独立フレームと外壁との間の隙間を塞いでおり、簡易建物は独立フレームに取付けてあることを特徴とする。
【発明の効果】
【０００６】
請求項１記載の発明による独立構造体は、外壁から離して設置した独立フレームに簡易建物を取付け、外壁に下地材を設けて平滑面を形成し、カバー材を下地材に取付けることで、外壁に孔を開けることなく設置できる。
【図面の簡単な説明】
【０００７】
【図１】本発明の一実施形態に係る独立構造体の上部を拡大して示す縦断面図である。
【図２】同独立構造体の縦断面図である。
【図３】同独立構造体の横断面図である。
【図４】同独立構造体の一部を拡大して示す正面図である。
【図５】同独立構造体の斜視図である。
【図６】同独立構造体の分解斜視図である。
【図７】凹凸のある外壁に下地材を接着取付けする状態を示す横断面図であって、（ａ）は接着前の状態、（ｂ）は接着後の状態を示す。
【発明を実施するための形態】
【０００８】
以下、本発明の実施の形態を図面に基づいて説明する。図１〜６は、本発明の独立構造体の一実施形態を示している。本独立構造体は、図２，３，５に示すように、住宅等の建物の外壁４の屋外側に外壁４から離して設置した独立フレーム２と、独立フレーム２に取付けた簡易建物（サンルーム）１と、独立フレーム２と外壁４との隙間を塞ぐカバー材３とを備える。外壁４には掃出し窓６が取付けてあって（図２参照）、建物内から簡易建物１へと出入りできるようになっている。
【０００９】
独立フレーム２は、左右一対の柱７，７と、左右の柱７，７の上端部に架設した桁８とで門型に形成してある。左右の柱７，７は、図２に示すように、地面Ｇに開けた穴９に下端部を挿入し、まわりをコンクリート１０で固めてしっかりと自立させてある。桁８は、図１に示すように、上面に前側に向かって下り勾配で傾斜した傾斜面１１を有し、傾斜面１１の後側にタイト材取付部１２を有し、タイト材取付部１２にタイト材１３が取付けてある。タイト材１３は軟質のヒレ状で、中間部で後側に屈曲しており、先端部が後述するカバー材３（横部材２３）の下面に当接している。桁８の左右両端部には、図４に示すように、蓋１４を取付けて小口を塞いである。
【００１０】
独立フレーム２の周囲の外壁４には、図５，６に示すように、下地材５を設けて平滑面１５を形成してある。下地材５は、図１，３に示すように、アルミニウム合金の押出形材よりなる中空の帯板状の部材で形成され、左右一対の縦部材１６，１６と、縦部材１６，１６の上端に掛け渡した横部材１７とで門型を成している。縦部材１６は、図２に示すように、下端が地面Ｇに当接してあり、横部材１７は縦部材１６の上に載置されている。横部１７材の左右両端部には、図４に示すように、蓋１８を取付けて小口を塞いである。各下地材１６，１７は、図１，３に示すように、外壁側の面を両面テープ１９で外壁４に接着すると共に、外周側に設けたシールポケット２０にシール材２１を充填してシールすることで、外壁４に取付けてある。下地材５は、縦部材１６，１６の下端を地面Ｇに当接し、横部材１７は縦部材１６，１６の上に載置することで、高さ方向の位置決めができ、手を離しても下に下がることがないので、施工性がよく、且つ安定して外壁４に取付けできる。
【００１１】
カバー材３は、図５，６に示すように、左右の縦部材２２，２２と横部材２３とを備える。縦部材２２は、図３に示すように、アルミ押出形材よりなる外壁側部材２４及び独立フレーム側部材２５と、これら二部材を繋ぐゴム製の繋ぎ材２６とで構成してある。外壁側部材２４は、前方及び後方に突出する複数の突片を有する長尺部材であり、前面の外周側に繋ぎ材嵌め込み溝２７を有し、その内周側に屋外側から挿入したねじ２８で下地材５の前面の平滑面１５に取付けてある。また、外壁側部材２４の後面の外周側にはシールポケット２９が形成してあり、シールポケット２９にシール材３０を充填して下地材５との間をシールしてある。独立フレーム側部材２５は外壁側部材２４と同一の形材を用いており、独立フレーム２の柱７の側面の後部にねじ２８で取付けてあり、前方に位置するシールポケット２９にシール材３０を充填して柱７との間をシールしてある。繋ぎ材２６は、中間部で屈曲した板状となっており、一端部と他端部とに形成した差込部３１，３１を外壁側部材２４と独立フレーム側部材２５の繋ぎ材嵌め込み溝２７にそれぞれ差込んで取付けてある。繋ぎ材２６は変形自在なため、下地材５と柱７間の変位や誤差を吸収可能であり、且つ下地材５と柱７の間からの雨水の浸入を阻止できる。縦部材２２は、図２，４に示すように、下端が地面Ｇに当接し、上端が横部材２３の下面に当接している。カバー材３は、縦部材２２，２２の下端を地面Ｇに当接し、横部材２３を縦部材２２，２２上に載置することで、高さ方向の位置決めができ、手を離しても下に下がることがないので、取付け作業がしやすく、且つ安定して取付けできる。
【００１２】
横部材２３は、アルミ製の中空押出形材よりなり、図１に示すように、下地材５から庇のように屋外側にのびており、独立フレーム２の桁８の上面に間隔をおいて重なっている。横部材２３は、垂直な後壁３２と、前方に向かって下り勾配で傾斜した上面壁３３と、水平な下面壁３４を有しており、後壁３２を下地材５の前面の平滑面１５に当接してねじ２８で固定してある。後壁３２の上端部にはシールポケット２９が形成してあり、シールポケット２９にシール材３０を充填して下地材５との間をシールしてある。横部材２３の下面壁３４と桁８の上面との間の隙間は、屈曲状態で設けたタイト材１３によって塞がれており、横部材２３と桁８との間の見込み方向や上下方向の変位や誤差をタイト材１３によって吸収できるようになっている。また、横部材２３の前端部下面側には水切り片３５を有し、横部材２３の下面側に雨水が回り込むのを防いでいる。横部材２３の両端部は、図４に示すように、桁８よりも側方に張り出しており、張り出した部分の水平な下面壁３４に縦部材２２の上端を当接させている。また、横部材２３の両端部には蓋３６を取付けて小口を塞いである。
【００１３】
簡易建物１は、図５，６に示すように、前面部３７と左右の側面部３８，３８と屋根部３９と床部４０とを備える公知のサンルームである。前面部３７と側面部３８には、図示しない折戸等の建具が取付けられ、屋根部３９には図示しない屋根パネルが取付けられ、床部４０には図示しない床板が取付けられる。簡易建物１は、建物側に設けられる左右の躯体方立４１，４１と垂木掛け４２を、独立フレーム２の柱７，７と桁８の前面に当接してねじ４３で固定して、独立フレーム２に取付けてある。
【００１４】
次に、本独立構造体の施工手順を説明する。まず、外壁４の所定の位置に下地材５を取付ける。次に、独立フレーム２の柱７，７を地面Ｇに埋め込んで立設し、柱７，７上に桁８を架設する。次に、下地材５に取付けてカバー材３を設置する。次に、独立フレーム２に取付けて簡易建物１を設置する。なお、カバー材３の取付けは、簡易建物１を設置した後に行うこともできる。
【００１５】
上述の実施例では、下地材５を両面テープ１９とシール材２１で外壁４に取付けていたが、外壁４に凹凸がある場合には、図７（ａ）に示すように、下地材５の裏面に接着剤４４を厚く塗り、これを外壁４に押し付けることで、図７（ｂ）に示すように、下地材５を接着で外壁４の凹凸を埋めて取付けることができる。接着剤４４は、外壁４の材質に応じて適宜選択すればよく、例えばモルタルを接着剤４４として用いることもできる。
【００１６】
以上に述べたように本独立構造体は、外壁４から離して設置した独立フレーム２に簡易建物１を取付け、外壁４に下地材５を設けて平滑面１５を形成し、カバー材３を下地材５に取付けることで、外壁４に孔を開けることなく設置できる。外壁に孔を開けると躯体内部に雨水が浸入するおそれがあるが、本独立構造体は外壁４に孔を開けないので、躯体内に雨水が浸入するおそれがない。また、外壁に孔を開けた場合には、ハウスメーカーによる新築住宅に対する１０年間の保証が無効になるおそれがあるが、本独立構造体は外壁４に孔を開けないで設置できるので、ハウスメーカーによる住宅に対する保障が無効になることがなく、ハウスメーカーと建材メーカーの保証の棲み分けが明確にできる。また本独立構造体は、下地材５により平滑面１５ができるので、外壁４がどんな材質・性状であっても取付けできる。また、カバー材３を下地材５の平滑面１５に取付けるので、外壁４の材質・性状によらず、カバー材３を安定して取付けでき、雨水の浸入を防止できる。
さらに本独立構造体は、下地材５を接着で外壁４の凹凸を埋めて取付けることで、外壁４に凹凸があっても下地材５を取付けることができる。
本独立構造体は、カバー材３を下地材５にねじ２８で取付けたことで、カバー材３を強固に取付けることができ、またカバー材３の外周部にシールポケット２９を設け、シールポケット２９にシール材３０を充填して下地材５との隙間をシールしてあるので、カバー材３と下地材５の間から雨水が浸入することがない。また、カバー材３の縦部材２２にはＬ形に屈曲したゴム質の繋ぎ材２６を有しており、カバー材３の横部材２３と独立フレーム２の桁８との間の隙間をＬ形に屈曲したタイト材１３で塞いであることで、独立フレーム２の変位を吸収可能に独立フレーム２と下地材５の間の隙間を塞ぐことができる。
【００１７】
本発明は以上に述べた実施形態に限定されない。外壁は、タイル、レンガ、窯業系や金属系のサイディング、ＡＬＣ等、いかなる種類のものであってもよく、外壁の種類に応じて、下地材を取付けるための接着剤や両面テープ等を選択すればよい。下地材は、軽量で薄い部材が好ましく、アルミの他、樹脂や木製の板等も用いることができる。カバー材の下地材への取付け方は任意であり、ねじを用いずに接着だけで取付けることもできる。下地材の縦部材及びカバー材の縦部材は、必ずしも下端が地面に当接していなくてもよい。簡易建物の構造は任意であり、サンルームに限らず、側面や前面が開放したテラスやパーゴラ等であってもよい。
【符号の説明】
【００１８】
１  簡易建物
２  独立フレーム
３  カバー材
４  外壁
５  下地材
【図１】
2018053568.tif 000003
【図２】
2018053568.tif 000004
【図３】
2018053568.tif 000005
【図４】
2018053568.tif 000006
【図５】
2018053568.tif 000007
【図６】
2018053568.tif 000008
【図７】
2018053568.tif 000009